(57)【特許請求の範囲】
【請求項１】
電話回線と接続可能な２つの端子を有する回線接続端子と、
開放、又は、閉結することが可能なリレー部と、
前記回線接続端子の一方の端子と前記リレー部を介して接続され、前記回線接続端子の他方の端子と接続され、前記リレー部が閉結、及び、前記電話回線が前記回線接続端子に接続されている場合に、前記電話回線を介して接続される交換機との間で閉回路を作り、前記電話回線と信号の送受信を行う信号送受信部と、
制御部と、
前記一方の端子と前記リレー部との間に設けられる第１接点、及び、前記他方の端子と前記信号送受信部との間に設けられる第２接点である各接点に一対の第１接続線を介して接続され、前記各端子間にかかる電圧の変動成分を２値変換し、前記２値変換された信号を前記制御部に出力する呼出信号検出部と、
記憶部と、
を備え、
前記制御部は、
前記リレー部が開放時、前記呼出信号検出部によって前記２値変換された信号の周期を検出可能であって、前記信号の周期が第１周期である際、呼出信号と識別し、
更に、
前記リレー部の開放状態から前記リレー部の閉結と開放とを、前記第１周期より短周期である第２周期で少なくとも２回以上、実行するように指示する第１擬似開閉処理と、
前記第１擬似開閉処理を実施しており、かつ前記呼出信号検出部により前記２値変換された信号の周期が前記第２周期でない場合、前記回線接続端子に前記電話回線が接続されていないことを示すフラグを前記記憶部に記憶させ、前記第１擬似開閉処理を実施しており、かつ前記呼出信号検出部により前記２値変換された信号の周期が前記第２周期である場合、前記フラグを前記記憶部に記憶させない、第１電話回線接続検出記憶処理と、
を実行する通信装置。
【請求項２】
請求項１に記載の通信装置であって、
更に、
前記信号送受信部に電力を供給する電源部を備え、
前記制御部は、
更に、
前記記憶部に前記フラグが記憶されている場合、前記電源部に対して前記信号送受信部への電力供給を停止する指示を行い、前記記憶部に前記フラグが記憶されていない場合、前記電源部に対して前記信号送受信部への電力供給を維持させる、電力供給指示処理、
を実行する通信装置。
【請求項３】
請求項２に記載の通信装置であって、
更に、
前記信号送受信部が送受信する信号を画像処理する画像処理部、
を備え、
前記電源部は、前記画像処理部に電力を供給可能であって、
前記制御部は、
更に、
前記電源部に対して前記信号送受信部及び前記画像処理部に電力を供給するように指示する通常モードと、前記電源部に対して前記信号送受信部及び前記画像処理部に電力の供給を停止するように指示する第１省電力モードと、前記電源部に対して前記信号送受信部への電力の供給を指示し前記画像処理部への電力の供給を停止するように指示する第２省電力モードと、を選択的に設定するモード設定処理、を実行し、
前記第１擬似開閉処理と前記第１電話回線接続検出記憶処理とを、前記モード設定処理によって前記通常モードが設定されている所定のタイミングで実行し、
前記電力供給指示処理では、
前記通常モード時に、前記画像処理部による処理が所定時間の間無かった場合であって、かつ、前記記憶部に前記フラグが記憶されている場合、前記信号送受信部及び前記画像処理部への電力供給を停止させる、
通信装置。
【請求項４】
請求項２又は３に記載の通信装置であって、
前記信号送受信部は、
１次側の一端が前記回線接続端子の前記一方の端子と前記リレー部を介して接続され、前記１次側の他端が前記回線接続端子の前記他方の端子と接続され、前記リレー部が閉結、及び、前記電話回線が前記回線接続端子に接続されている場合に、前記電話回線を介して接続される交換機と前記１次側とで閉回路を作るトランスと、
前記トランスの２次側と接続され、前記トランスを介して信号の送受信を行い、送受信される信号の変復調を行うモデム部と、
を有し、
前記電力供給指示処理では、
前記記憶部に前記フラグが記憶されている場合、前記モデム部への電力供給を停止させる、
通信装置。
【請求項５】
電話回線と接続可能な２つの端子を有する回線接続端子と、
開放、又は、閉結することが可能なリレー部と、
前記回線接続端子の一方の端子と前記リレー部を介して接続され、前記回線接続端子の他方の端子と接続され、前記リレー部が閉結、及び、前記電話回線が前記回線接続端子に接続されている場合に、前記電話回線を介して接続される交換機との間で閉回路を作り、前記電話回線と信号の送受信を行う信号送受信部と、
制御部と、
前記一方の端子と前記リレー部との間に設けられる第１接点、及び、前記他方の端子と前記信号送受信部との間に設けられる第２接点である各接点に一対の第１接続線を介して接続され、前記各端子間にかかる電圧の変動成分を２値変換し、前記２値変換された信号を前記制御部に出力する呼出信号検出部と、
前記一方の端子と前記リレー部との間に設けられる第３接点、及び、前記他方の端子と前記信号送受信部との間に設けられる第４接点である各接点に一対の第２接続線を介して接続され、前記一方の端子と前記他方の端子との間を開放、又は、閉結することが可能なダイヤルパルス送出部と、
記憶部と、
を備え、
前記制御部は、
前記リレー部が開放時、前記呼出信号検出部によって入力された前記２値変換された信号の周期を検出可能であって、前記信号の周期が第１周期である際、呼出信号と識別し、
更に、
前記リレー部の開放状態で、前記ダイヤルパルス送出部の閉結と開放とを、前記第１周期より短周期であって、かつ、通信規格として定められているダイヤルパルスの閉結と開放の周期より短周期である第３周期で少なくとも２回以上実行するように指示する第２擬似開閉処理と、
前記第２擬似開閉処理を実施しており、かつ前記呼出信号検出部によって前記２値変換された信号の周期が前記第３周期でない場合、前記回線接続端子に前記電話回線が接続されていないことを示すフラグを前記記憶部に記憶させ、前記第２擬似開閉処理を実施しており、かつ前記呼出信号検出部によって前記２値変換された信号の周期が前記第３周期である場合、前記フラグを前記記憶部に記憶させない、第２電話回線接続検出記憶処理と、
を実行する通信装置。
【発明の詳細な説明】
【技術分野】
【０００１】
本発明は、回線接続端子に電話回線を接続し、電話回線を使用して通信を行う通信装置に関するものである。
【背景技術】
【０００２】
従来、電話回線を使用して通信を行う通信装置であって、回線接続端子に電話回線が接続されているか否かによって、制御を変更する通信装置がある。特許文献１の通信装置は、回線接続端子の２つの端子間に加えられている電圧を検出する回線電圧検出回路を有している。そして、特許文献１の通信装置は、回線電圧検出回路によって回線電圧を検出できた場合は、回線接続端子に電話回線が接続されているとし、回線電圧検出回路によって回線電圧を検出できない場合、回線接続端子に電話回線が接続されていないものとし、電話回線を介して信号を送受信するモデム部を停止する制御を行っている。
【先行技術文献】
【特許文献】
【０００３】
【特許文献１】特開２０００−３４１４３０号公報
【発明の概要】
【発明が解決しようとする課題】
【０００４】
特許文献１の通信装置のように、回線電圧検出回路を有している場合は、回線電圧を検出できるか否かで、回線接続端子に電話回線が接続されているか否かを検出することが可能である。しかし、回線電圧検出回路を備えていない通信装置においては、課題となる。また、回線電圧検出回路を備えていない通信装置でも以下の方式で回線接続端子に電話回線が接続されているか否かを検出することができる。
【０００５】
電話回線と信号の送受信を行う、通信装置が有する信号送受信部は、回線接続端子の一方の端子とＣＭＬリレーといったリレー部を介して接続され、回線接続端子の他方の端子と接続されている。そして、通信装置のリレー部を閉結すると、交換機と通信装置との間に電話回線を介して閉回路ができる。閉回路ができると、その閉回路には電流が流れる。交換機は、一定時間の間、電流が流れたことを検出すると、発信音（ダイヤルトーン）を送出する。
【０００６】
通信装置は、この発信音を受信できるか否かで回線接続端子に電話回線が接続されていないとすることができる。しかし、上述の方法であると、リレー部を一定時間以上、閉結しないといけないため、時間がかかりすぎるという問題があった。
【０００７】
本願は、上記の課題に鑑み提案されたものであって、専用の回線電圧検出回路を備えずに、既存の通信装置を用いて、回線接続端子に電話回線が接続されているか否かをすばやく検出することが可能な通信装置を提供することを目的とする。
【課題を解決するための手段】
【０００８】
本願に係る通信装置は、電話回線と接続可能な２つの端子を有する回線接続端子と、開放、又は、閉結することが可能なリレー部と、前記回線接続端子の一方の端子と前記リレー部を介して接続され、前記回線接続端子の他方の端子と接続され、前記リレー部が閉結、及び、前記電話回線が前記回線接続端子に接続されている場合に、前記電話回線を介して接続される交換機との間で閉回路を作り、前記電話回線と信号の送受信を行う信号送受信部と、制御部と、前記一方の端子と前記リレー部との間に設けられる第１接点、及び、前記他方の端子と前記信号送受信部との間に設けられる第２接点である各接点に一対の第１接続線を介して接続され、前記各端子間にかかる電圧の変動成分を２値変換し、前記２値変換された信号を前記制御部に出力する呼出信号検出部と、記憶部と、を備え、前記制御部は、前記リレー部が開放時、前記呼出信号検出部によって入力された前記２値変換された信号の周期を検出可能であって、前記信号の周期が第１周期である際、呼出信号と識別し、更に、前記リレー部の開放状態から前記リレー部の閉結と開放とを、前記第１周期より短周期である第２周期で少なくとも２回以上、実行するように指示する第１疑似開閉処理と、前記第１擬似開閉処理によって検出された前記２値変換された信号の周期が前記第２周期でない場合、前記回線接続端子に前記電話回線が接続されていないことを示すフラグを前記記憶部に記憶させ、前記第１擬似開閉処理によって検出された前記２値変換された信号の周期が前記第２周期である場合、前記フラグを前記記憶部に記憶させない、第１電話回線接続検出記憶処理と、を実行する。
【０００９】
本願の通信装置は、回線接続端子とリレー部と信号送受信部と呼出信号検出部とを有している。一方、リレー部が開放時に、回線接続端子に電話回線が接続されていると、回線接続端子の各端子間には、回線電圧が印加される。交換機は、回線電圧に変動成分を重畳して呼出信号を送出する。リレー部が開放された状態で、呼出信号検出部は、その呼出信号を検出し、検出した呼出信号を２値化し、制御部に出力する。制御部は、入力された２値化された信号の周期が予め定められた第１周期であれば、交換機からの呼出信号の入力があったこととし、リレー部を閉結させる。すると、信号送受信部は、交換機と電話回線を介して信号のやり取りを行う。
【００１０】
他方、リレー部が閉結時には、回線接続端子に電話回線が接続されていると、交換機と信号送受信部との間に閉回路が構成され、回線接続端子の各端子間には、回線電圧から閉回路によって一定の電圧降下した値が印加される。故に、回線接続端子に電話回線が接続されている場合は、リレー部の閉結と開放とを繰り返すと、回線接続端子の各端子間には、電圧降下した値と回線電圧とが交互に生じる。呼出信号検出部は、交互に生じた電圧変動を２値化し、制御部に、リレー部の閉結と開放のタイミングの周期に応じた２値化された信号を送出する。回線接続端子に電話回線が接続されていない場合は、リレー部の閉結と開放とを繰り返しても、制御部には、その２値化された信号が入力されない。
【００１１】
故に、リレー部の閉結と開放とを第２周期で繰り返したときに、リレー部の閉結と開放のタイミングと同じ第２周期の信号が制御部に入力されない場合は、制御部は、回線接続端子に電話回線が接続されていないとすることができる。又、リレー部の閉結と開放とを第２周期で繰り返したときに、リレー部の閉結と開放のタイミングと同じ第２周期の信号が制御部に入力される場合は、制御部は、回線接続端子に電話回線が接続されているとすることができる。
【００１２】
予め定められている呼出信号の第１周期と第２周期とが同じであると、仮に、第１擬似開閉処理中に、呼出信号が交換機から送出されたときに制御部は、呼出信号なのか電話回線の接続なのか見分けがつかない。また、第２周期が第１周期よりも長いと、回線接続端子に電話回線が接続されているのか否かの見極めるのに時間がかかる。
【００１３】
故に、予め定められている呼出信号の第１周期と第２周期とは、それぞれ異なり、第２周期は第１周期より短周期に設定されていることで、回線接続端子に電話回線が接続されているか否かをすばやく検出することが可能となる。
【００１４】
本願に係る通信装置は、更に、信号送受信部に電力を供給する電源部を備え、前記制御部は、更に、前記記憶部に前記フラグが記憶されている場合、前記電源部に対して前記信号送受信部への電力供給を停止する指示を行い、前記記憶部に前記フラグが記憶されていない場合、前記電源部に対して前記信号送受信部への電力供給を維持させる、電力供給指示処理、を実行する構成としてもよい。
【００１５】
フラグが記憶部に記憶されている、すなわち、回線接続端子に前記電話回線が接続されていないため、電力部による信号送受信部への電力の供給不要である。故に、制御部が電源部に対して信号送受信部への電力供給を停止する指示を行うことで、省電力を図ることができる。
【００１６】
本願に係る通信装置は、更に、前記信号送受信部が送受信する信号を画像処理する画像処理部、を備え、前記電源部は、前記画像処理部に電力を供給可能であって、前記制御部は、更に、前記電力部に対して前記信号送受信部及び前記画像処理部に電力を供給するように指示する通常モードと、前記電力部に対して前記信号送受信部及び前記画像処理部に電力の供給を停止するように指示する第１省電力モードと、前記電力部に対して前記信号送受信部への電力の供給を指示し前記画像処理部への電力の供給を停止するように指示する第２省電力モードと、を選択的に設定するモード設定処理、を実行し、前記第１疑似開閉処理と前記第１電話回線接続検出記憶処理とは、前記モード設定処理によって通常モードが設定されている所定のタイミングで実行し、前記電力供給停止指示処理は、前記通常モード時に、前記処理部による処理が所定時間の間無かった場合であって、かつ、前記記憶部に前記フラグが記憶されている場合、前記信号送受信部及び前記画像処理部への電力供給を停止させる構成としてもよい。
【００１７】
通常モード時に、前記処理部による処理が所定時間の間無かった場合であって、かつ、前記記憶部に前記フラグが記憶されている場合、前記信号送受信部及び前記画像処理部への電力供給を停止させることで、省電力を図ることができる。また、第１疑似開閉処理と前記第１電話回線接続検出記憶処理とは、前記モード設定処理によって通常モードが設定されている所定のタイミングで実行する構成であって、第１疑似開閉処理の実行時間は短いため、途中で交換機から呼出信号とかぶることなく、通常モードが設定されている合間に適切に第１疑似開閉処理を実行することができる。
【００１８】
本願に係る通信装置において、前記信号送受信部は、１次側の一端が前記回線接続端子の一方の端子と前記リレー部を介して接続され、前記１次側の他端が前記回線接続端子の他方の端子と接続され、前記リレー部が閉結、及び、前記電話回線が前記回線接続端子に接続されている場合に、前記電話回線を介して接続される交換機と前記１次側とで閉回路を作るトランスと、前記トランスの２次側と接続され、前記トランスを介して信号の送受信を行い、送受信される信号の変復調を行うモデム部と、を有し、前記電力供給停止指示処理は、前記記憶部に前記フラグが記憶されている場合、前記モデム部への電力供給を停止させる構成としてもよい。
【００１９】
本願に係る通信装置において、電話回線と接続可能な２つの端子を有する回線接続端子と、開放、又は、閉結することが可能なリレー部と、前記回線接続端子の一方の端子と前記リレー部を介して接続され、前記回線接続端子の他方の端子と接続され、前記リレー部が閉結、及び、前記電話回線が前記回線接続端子に接続されている場合に、前記電話回線を介して接続される交換機との間で閉回路を作り、前記電話回線と信号の送受信を行う信号送受信部と、制御部と、前記一方の端子と前記リレー部との間に設けられる第１接点、及び、前記他方の端子と前記信号送受信部との間に設けられる第２接点である各接点に一対の第１接続線を介して接続され、前記各端子間にかかる電圧の変動成分を２値変換し、前記２値変換された信号を前記制御部に出力する呼出信号検出部と、前記一方の端子と前記リレー部との間に設けられる第３接点、及び、前記他方の端子と前記信号送受信部との間に設けられる第４接点である各接点に一対の第２接続線を介して接続され、前記一方の端子と前記他方の端子との間を開放、又は、閉結することが可能なダイヤルパルス送出部と、記憶部と、を備え、前記制御部は、前記リレー部が開放時、前記呼出信号検出部によって入力された前記２値変換された信号の周期を検出可能であって、前記信号の周期が第１周期である際、呼出信号と識別し、更に、前記リレー部の開放状態で、前記ダイヤルパルス送出部の閉結と開放とを、前記第１周期より短周期であって、かつ、通信規格として定められているダイヤルパルスの閉結と開放の周期より短周期である第３周期で少なくとも２回以上実行するように指示する第２疑似開閉処理と、前記第２擬似開閉処理によって検出された前記２値変換された信号の周期が前記第３周期でない場合、前記回線接続端子に前記電話回線が接続されていないことを示すフラグを前記記憶部に記憶させ、前記第２擬似開閉処理によって検出された前記２値変換された信号の周期が前記第３周期である場合、前記フラグを前記記憶部に記憶させない、第２電話回線接続検出記憶処理と、を実行する構成としてもよい。
【００２０】
リレー部の替わりにダイヤルパルス送出部を用いて、リレー部を開放した状態で、ダイヤルパルス送出部を閉結、又は、開放することで、第２疑似開閉処理を用いても、第１擬似開閉処理と同様な効果を得ることができる。また、第２疑似開閉処理は、通信規格として定められているダイヤルパルスの閉結と開放の周期より短周期である第３周期で閉結と開放とを繰り返すので、交換機が通信装置からダイヤルパルスが送信されたと誤認識しない。そして、制御部は、第２電話回線接続検出記憶処理によって、回線接続端子に電話回線が接続されているか否かをすばやく検出することが可能となる。
【図面の簡単な説明】
【００２１】
【図１】ＭＦＰ１の内部構成を示す図面である。
【図２】ＦＡＸ通信部３０の詳細な構成を示す図面である。
【図３】コンデンサＣ１とダイオード１７と、ＣＩ検出回路２２と、ＡＳＩＣ４１との関係を示す図面である。
【図４】（Ａ）は、交換機５９が出力する呼出信号、（Ｂ）はＣＩ検出回路２２がＡＳＩＣ４１に出力する信号Ｓｉｇ２をそれぞれ示している。
【図５】ＤＰ送出回路２１の構成例を示す図面である。
【図６】（Ａ）ＤＰ送出回路２１によるダイヤルパルスの一例として回線接続端子１１Ａ、１１Ｂの各端子間に印加される電圧値を示す図面である。（Ｂ）は、ＣＩ検出回路２２がＡＳＩＣ４１に出力する信号Ｓｉｇ２を示している。
【図７】ＭＦＰ１の状態遷移図を示している。
【図８】移行判断処理を示すフローチャートである。
【図９】回線接続判別処理（第１実施例）を示すフローチャートである。
【図１０】（Ａ）ＡＳＩＣ４１によるＣＭＬリレー１３に閉結と開放によって回線接続端子１１の各端子間に印加される電圧値の変動を示している。（Ｂ）ＣＩ検出回路２２がＡＳＩＣ４１へ出力する、（Ａ）の回線接続端子１１の各端子間の電圧変動を示す信号Ｓｉｇ２を示している。
【図１１】回線接続判別処理（第２実施例）を示すフローチャートである。
【発明を実施するための形態】
【００２２】
以下では、本発明の実施の形態について、添付図面を参照しつつ詳細に説明する。
【００２３】
＜１．内部構成＞
ＭＦＰ１（Ｍｕｌｔｉ−Ｆｕｎｃｔｉｏｎ  Ｐｅｒｉｐｈｅｒａｌ：通信装置の一例）は、図２に示されるように、回線接続端子１１と、ＦＡＸ通信部３０と、ＬＡＮインターフェイス部３２と、ＵＳＢインターフェイス部３３と、電源部３４と、ＡＳＩＣ４１と、ＲＯＭ５１と、ＲＡＭ５２と、画像形成部５３と、画像読取部５４と、操作部５５と、を備える。
【００２４】
ＦＡＸ通信部３０は、回線接続端子１１（回線接続端子の一例）に接続されている。回線接続端子１１に電話回線６０（図２参照）が接続される。ＦＡＸ通信部３０は、電話回線６０（図２参照）を介して接続される交換機を介して、相手先のファクシミリ装置に対して、ＦＡＸの画像データを送受信することが可能となる。
【００２５】
ＬＡＮインターフェイス（ＬＡＮ  Ｉ／Ｆ）部３２は、ＬＡＮケーブルを接続可能な端子（不図示）を備え、その端子を介してコンピュータ等を含むＬＡＮに接続される。ＬＡＮで接続されたコンピュータとの間で、ＬＡＮインターフェイス部３２は、画像データや制御命令等を送受信する。
【００２６】
ＵＳＢインターフェイス（ＵＳＢ  Ｉ／Ｆ）部３３は、ＵＳＢ端子（不図示）を備え、そのＵＳＢ端子を介してコンピュータや、記憶デバイスとして機能するＵＳＢメモリに接続される。そして、ＵＳＢインターフェイス部３３は、ＵＳＢ端子に接続されたコンピュータやＵＳＢメモリとの間で、画像データや制御命令等を送受信する。
【００２７】
電源部３４は、商用電源に接続可能であって、当該電源から供給される電力を、ＦＡＸ通信部３０や画像形成部５３やＡＳＩＣ４１といった各部のそれぞれにあった電力に変換し、供給する。
【００２８】
ＡＳＩＣ４１は、ＣＰＵ４０を内蔵している。ＣＰＵ４０は、ＡＳＩＣ４１に入力される情報に基づいて、各種の処理のためのプログラムを実行する。そして、ＣＰＵ４０は、画像形成部５３（画像処理部の一例）、画像読取部５４、ＦＡＸ通信部３０等を制御する。特に、ＣＰＵ４０は、電源部３４に対して、画像形成部５３、画像読取部５４、ＦＡＸ通信部３０、ＬＡＮインターフェイス部３２等の各部に対して電力供給を停止するように指示することができる。
【００２９】
ＲＯＭ５１には、ＣＰＵ４０によって実行されるプログラム及び各種のデータなどが記憶されている。ＲＡＭ５２（記憶部の一例）は、ＣＰＵ４０がプログラムを実行する際のワークエリアや、ＦＡＸ通信部３０やＬＡＮインターフェイス部３２が受信した画像データが記憶される。
【００３０】
画像形成部５３は、ＲＡＭ５２やＵＳＢ端子に接続されたＵＳＢメモリに記憶された画像データに対して印刷（カラー印刷又はモノクロ印刷）を実行し、シートに画像を形成する。画像形成の方式は、電子写真方式であってもよいし、インクジェット方式であってもよい。画像形成部５３は、ＦＡＸ通信部３０が受信した画像データをシートに画像形成することができる。
【００３１】
画像読取部５４は、シートに形成された画像をシートから読み取り、画像データとしてＲＡＭ５２に記憶させる。ＣＩＳ（Ｃｏｎｔａｃｔ  Ｉｍａｇｅ  Ｓｅｎｓｏｒ）方式で原稿シートを読み取るように構成されている。
【００３２】
操作部５５は、各種の操作ボタンからなる。操作ボタンの押操作により、各種の入力が可能である。操作ボタンには、例えば、各種の指示（例えば、画像処理の開始指示）を確定するためのＯＫボタン、各種の指示をキャンセルするためのキャンセルボタン、選択するための十字ボタン、数字や文字を入力するためのテンキーなどが含まれる。また、操作ボタンには、ＭＦＰ１の省電力モードを通常モードに切り替えるためのボタン及び各省電力モードに切り替えるためのボタンが含まれる。操作部５５からの各種の操作ボタンの操作がＡＳＩＣ４１に入力され、ＡＳＩＣ４１は、入力された情報に応じて、各部を制御する。
【００３３】
＜２．ＦＡＸ通信部の詳細な構成＞
図２から図６を用いて、ＦＡＸ通信部３０の詳細な構成、ＦＡＸ通信部３０とＡＳＩＣ４１との関係、一般的な役割等について説明する。
【００３４】
（１）  回線接続端子１１
回線接続端子１１（１１Ａ、１１Ｂ）は、ＭＦＰ１をケーブルである電話回線６０に接続可能に設けられた２つの端子であってモジュラジャックとして構成されている。回線接続端子１１Ａ、１１Ｂは電話回線６０が接続されている場合、交換機５９と接続することができる。
【００３５】
回線接続端子１１Ａ、１１Ｂは、それぞれ、通電経路１２（１２Ａ、１２Ｂ）が接続されている。通電経路１２Ａの一端は回線接続端子１１Ａに接続され、通電経路１２Ａの他端はＣＭＬリレー１３（リレー部の一例）に接続されている。ＣＭＬリレー１３は信号送受信部３１（信号送受信部の一例）が有するトランス１４の１次側に接続されている。通電経路１２Ｂの一端は、回線接続端子１１Ｂに接続され、通電経路１２Ｂの他端は、トランス１４の１次側に接続される。ＣＭＬリレー１３は、回線接続端子１１Ａからトランス１４の１次側を介して回線接続端子１１Ｂに至る通電経路を、開放又は閉結させるリレーである。回線接続端子１１Ａ、１１Ｂに電話回線６０が接続されている場合、ＣＭＬリレー１３が閉結していると、交換機５９とトランス１４との間で閉回路が構成される。
【００３６】
一方、回線接続端子１１Ａ、１１Ｂに電話回線６０が接続されている場合に、ＣＭＬリレー１３が開放していると、回線接続端子１１Ａ、１１Ｂの各端子間には、回線電圧Ｖ１（例えば、４８Ｖ、図６（Ａ）参照）が印加される。他方、回線接続端子１１Ａ、１１Ｂに電話回線６０が接続されている場合に、ＣＭＬリレー１３が閉結していると、通電経路１２Ａ、トランス１４、通電経路１２Ｂに至る通電経路に電流が流れる。そのため、通電経路１２Ａ、トランス１４、通電経路１２Ｂが有する抵抗成分によって電圧降下が生じ、回線接続端子１１Ａ、１１Ｂの各端子間の電圧値は、電圧Ｖ２となる（図６（Ａ）、図１０（Ａ）参照）。
【００３７】
（２）  信号送受信部３１
信号送受信部３１はモデム２３（モデム部の一例）とトランス１４（トランスの一例）とからなる。トランス１４は、電話回線６０から入力された各種信号を、絶縁状態を保持しつつモデム２３に伝達する回路である。また、モデム２３は、トランス１４から送られるアナログ信号をデジタル信号に変換しＡＳＩＣ４１に出力、又は、ＡＳＩＣ４１から送られるデジタル信号をアナログ信号に変換しトランス１４に出力することで、信号の変復調を行う回路である。交換機５９が送出する各種信号の中には、相手先のファクシミリ装置から送信された画像データも含まれている。相手先のＦＡＸ装置から送られるアナログの画像データをモデム２３がデジタルに変換し、ＡＳＩＣ４１を介してＲＡＭ５２に保存される。
【００３８】
また、交換機５９は、回線接続端子１１Ａ、１１Ｂの各端子間にかかる電圧に変動成分を重畳して各種信号を送出する。
【００３９】
（３）  ＣＩ検出回路２２
交換機５９が送出する各種信号のうち呼出信号（ＣＩ信号）は、ＣＩ検出回路２２（呼出信号検出部の一例）によって検出される。回線接続端子１１ＡとＣＭＬリレー１３との間の接点Ｎ１（第１接点の一例）、回線接続端子１１Ｂとトランス１４の一次側との間の接点Ｎ２（第２接点の一例）がある。ＣＩ検出回路２２は、その接点Ｎ１と接点Ｎ２とから、一対の通電経路１６（１６Ａ、１６Ｂ：第１接続線の一例）によって接続されている。
【００４０】
コンデンサＣ１が接点Ｎ１とＣＩ検出回路２２とをつなぐ通電経路１６Ａ上に設けられている。ダイオード１７が、通電経路１６Ａと１６Ｂとの間に設けられている。
【００４１】
図３は、コンデンサＣ１とダイオード１７と、ＣＩ検出回路２２と、ＡＳＩＣ４１との関係を詳細に示している。図４（Ａ）は、交換機５９が出力する、回線接続端子１１Ａ、１１Ｂの各端子間にかかる回線電圧Ｖ１に、変動成分を重畳させた信号である呼出信号を示している。その呼出信号の周波数は１５〜２０Ｈｚである。図４（Ｂ）は、ＣＩ検出回路２２が呼出信号を受信し、ＣＩ検出回路２２がＡＳＩＣ４１の端子ＩＮＰＵＴに出力する信号Ｓｉｇ２を示している。ＣＩ検出回路２２は、フォトカプラ２２Ａを有している。フォトカプラ２２Ａのフォトトランジスタがオフの場合、ＣＩ検出回路２２が出力するＡＳＩＣ４１への出力である信号Ｓｉｇ２は、ＨＩＧＨ信号となる。
【００４２】
ＭＦＰ１はファクシミリ受信する際、交換機５９が出力する、図４（Ａ）に示すような回線電圧Ｖ１に変動成分を重畳させた信号である呼出信号を、ＣＩ検出回路２２を用いて検出する。交換機５９は、呼出信号における通信の規格として定められた所定の間隔（１’ｓｔ  Ｒｉｎｇ）の間、回線電圧Ｖ１に変動成分を重畳させた信号を出力し、その後、通信の規格で定められた所定の間隔（ＯＦＦ  ＴＩＭＥ）の間、回線電圧Ｖ１のままとし、再び、所定の間隔（２ｎｄ  Ｒｉｎｇ）の間、回線電圧Ｖ１に変動成分を重畳させた信号を出力する。
【００４３】
コンデンサＣ１は、回線電圧Ｖ１に変動成分を重畳させた信号である呼出信号から、変動成分を抽出する。図３に示すように、フォトカプラ２２Ａのダイオードと、ダイオード１７とは互いに向きが逆となっている。変動成分のうち、負方向の変動成分はダイオード１７によって遮断され、正方向の変動成分は、フォトカプラ２２Ａを通過し、フォトカプラ２２Ａのフォトトランジスタがオンとなる。そして、フォトカプラ２２Ａのフォトトランジスタがオンとなることで、３．３Ｖの電源から抵抗２２Ｄに電流が流れ、信号Ｓｉｇ２は、ＬＯＷ信号となる。
【００４４】
図４（Ｂ）は、ＣＩ検出回路２２が、呼出信号（図４（Ａ））を受信し、ＡＳＩＣ４１へ出力する信号Ｓｉｇ２を示している。信号Ｓｉｇ２は、呼出信号がＣＩ検出回路２２によって２値変換されたものである。
【００４５】
ＡＳＩＣ４１は、端子ＩＮＰＵＴに入力される信号Ｓｉｇ２が示すＨＩＧＨ信号とＬＯＷ信号とから求まる、立下りから次の立下りまでの間隔である周期を検出する。その際、ＡＳＩＣ４１は、ＣＩ検出設定として、通常ＣＩ検出設定用の設定がなされており、ＡＳＩＣ４１は、検出した周期が予め通信の規格として定められた呼出信号の周期Ｔ１（第１周期の一例、例えば５０ｍｓ、呼出信号の周波数は１５〜２０Ｈｚの逆数）を検出可能となっている。
【００４６】
ＡＳＩＣ４１は、周期Ｔ１を検出した際に、交換機５９から呼出信号が送出したもの、すなわち、ＣＩ検出回路２２が呼出信号を受信したものと判別する。すると、ＡＳＩＣ４１は、ＣＭＬリレー１３を開放された状態から閉結した状態にすることで、通電経路１２Ａ、トランス１４、通電経路１２Ｂに至る通電経路に電流が流れ、交換機５９と信号送受信部３１とで信号のやり取りを行うことができる。結果として、ＭＦＰ１は、相手先のファクシミリ装置からのファクシミリデータを交換機５９を経由して受信することができる。
【００４７】
（４）  ＤＰ送出回路２１
次に、ＤＰ送出回路２１（ダイヤルパルス送出部の一例）について説明する。ＤＰ送出回路２１が接続（メーク）と、遮断（ブレーク）とを行うことで、ＤＰ送出回路２１は、交換機５９へダイヤルパルスを送出する。ダイヤルパルスは、一般的に遮断（ブレーク）の数が数字を示し、接続（メーク）の間隔等が通信の規格で予め定められている。交換機５９は、ＤＰ送出回路２１からのダイヤルパルスの遮断（ブレーク）の数によって、ＭＦＰ１がどの相手先のファクシミリ装置と信号のやり取りを行うかを判別する。
【００４８】
図２に示すように、回線接続端子１１ＡとＣＭＬリレー１３との間の接点Ｎ３（第３接点の一例）、回線接続端子１１Ｂとトランス１４の一次側との間の接点Ｎ４（第４接点の一例）がある。ＤＰ送出回路２１は、その接点Ｎ３と接点Ｎ４とから、一対の通電経路１５（１５Ａ、１５Ｂ：第２接続線の一例）を介して設けられている。
【００４９】
図５は、ＤＰ送出回路２１の構成例を示す図である。ＤＰ送出回路２１は、ダイオードブリッジ６１、ダイオード６２及びフォトカプラ６３を有する。ダイオードブリッジ６１は、４つのダイオードを接続した周知の整流回路であり、２つのダイオードのカソード同士の接続点６１Ａと、２つのダイオードのアノード同士の接続点６１Ｂとの間に、ダイオード６２及びフォトカプラ６３が並列に接続されている。また、ダイオードブリッジ６１は、２つのダイオードのアノードとカソードとの接続点６１Ｃが通電経路１２Ａに接続され、２つのダイオードのアノードとカソードとの接続点６１Ｄが通電経路１２Ｂに接続されている。
【００５０】
ＡＳＩＣ４１が、端子ＯＵＴＰＵＴから信号Ｓｉｇ１によるオン指令を出力して、フォトカプラ６３にオン動作させると、回線接続端子１１Ａ、ＤＰ送出回路２１が有するダイオードブリッジ６１、回線接続端子１１Ｂを通る経路の閉回路が形成される。一方、ＡＳＩＣ４１が、信号Ｓｉｇ１によるオフ指令を出力して、フォトカプラ６３にオフ動作させると、回線接続端子１１Ａ、ＤＰ送出回路２１が有するダイオードブリッジ６１、回線接続端子１１Ｂを通る経路が遮断される。
【００５１】
上述したように、ＤＰ送出回路２１が接続（メーク）と、遮断（ブレーク）とを行うことで、交換機５９へ出力される信号がダイヤルパルスである。接続（メーク）とは、回線接続端子１１Ａ、ＤＰ送出回路２１が有するダイオードブリッジ６１、回線接続端子１１Ｂを通る経路の閉回路が形成されること、遮断（ブレーク）とは、その経路が遮断されることを意味する。ＤＰ送出回路２１の接続（メーク）時には、形成される閉回路によって電圧降下が生じ、回線接続端子１１Ａ、１１Ｂの各端子間には、電圧Ｖ２が印加される。ＤＰ送出回路２１の遮断（ブレーク）時には、回線電圧Ｖ１が印加される。図６（Ａ）には、そのダイヤルパルスの一例が示されている。交換機５９は、図６（Ａ）に示されているような回線電圧Ｖ１と電圧Ｖ２の変化を信号として捉えることで、相手先のファクシミリ装置と接続する。
【００５２】
予め通信の規格として、接続（メーク）と遮断（ブレーク）とを合わせた時間（ダイヤルパルスの閉結と開放の周期の一例）のうち接続（メーク）の占める割合、遮断（ブレーク）の占める割合や、接続（メーク）と遮断（ブレーク）とからなるパルス列を識別するために設けられた休止時間（ＩＤＰ）が定められている。そして、ＡＳＩＣ４１は、接続（メーク）の占める割合や遮断（ブレーク）の数に応じて信号Ｓｉｇ１によるオン指令を出力することで、交換機５９は、回線電圧Ｖ１と電圧Ｖ２の変化を信号として捉える。
【００５３】
図６（Ｂ）には、ＣＩ検出回路２２が、ダイヤルパルスである電圧の変化（図６（Ａ））を受けて、ＡＳＩＣ４１へ出力する信号Ｓｉｇ２を示している。上述したように、ＡＳＩＣ４１は、端子ＩＮＰＵＴに入力される信号Ｓｉｇ２が示すＨＩＧＨ信号とＬＯＷ信号とから求まる、立下りから次の立下りまでの間隔である周期を検出する。しかし、呼出信号の周期Ｔ１とダイヤルパルスによる周期Ｔｄ（例えば、１００ｍｓ）とは、通信の規格上異なるように定められているため、ＡＳＩＣ４１は、ＤＰ送出回路２１によるダイヤルパルスの送出時に、呼出信号が検出したと誤検出することはない。
【００５４】
以上、図２から図６を用いて、ＦＡＸ通信部３０の詳細な構成、ＦＡＸ通信部３０とＡＳＩＣ４１との関係、一般的な役割等について説明を行った。
【００５５】
＜３．状態遷移＞
ＭＦＰ１では、図７に示されるように、回線接続端子１１への電話回線６０の接続の有無、画像形成部５３に対する画像形成の実行命令の有無、画像読取部５４に対する画像読取の実行命令の有無、操作部５５の操作の有無等に応じて、電力消費状態が遷移する。
【００５６】
電源オフの状態から操作部５５が有する電源キーがユーザによって押操作（オン）されると、ＭＦＰ１の電力消費状態が待機状態となる。待機状態（通常モードの一例）では、電源部３４から画像形成部５３、画像読取部５４、操作部５５、ＦＡＸ通信部３０、ＬＡＮインターフェイス部３２、ＵＳＢインターフェイス部３３に動作電力が供給される。待機状態は、操作部５５のキー操作による画像形成又は画像読取の実行命令待ち、ＦＡＸ通信部３０の呼出信号の受信待ち、ＦＡＸ通信部３０によるダイヤルパルス送出待ち、ＬＡＮインターフェイス部３２を介する画像形成に係るデータの受信待ちの状態である。
【００５７】
操作部５５のキー操作による画像形成又は画像読取の実行命令、又は、ＦＡＸ通信部３０が呼出信号を受信すると、実行状態に移行する。そして、実行命令に対応した画像形成部５３、画像読取部５４、ＦＡＸ通信部３０による処理の実行によって、画像形成部５３を用いて用紙に画像を形成したり、画像読取部５４を用いて原稿を読み取ったり、ＦＡＸ通信部３０によって画像を受信（又は、送信）の実行動作を行う。その実行動作の実行終了後、待機状態に移行する。
【００５８】
待機状態中において、後述する回線接続判別処理（図９、図１１参照）、ＬＡＮインターフェイス部３２にＬＡＮケーブルが挿入されているかの判別、ＵＳＢインターフェイス部３３にＵＳＢメモリが挿入されているかの判別といった各種判別処理を、ＡＳＩＣ４１が所定のタイミングで実行する。
【００５９】
そして、ＡＳＩＣ４１は、後述する回線接続判別処理（図９、図１１参照）によって回線接続端子１１に電話回線６０が接続されていれば、ＲＡＭ５２に回線接続フラグをオンとして記憶させ、回線接続端子１１に電話回線６０が接続されていなければ、ＲＡＭ５２に回線接続フラグをオフとして記憶させる。同様に、ＬＡＮインターフェイス部３２、ＵＳＢインターフェイス部３３についても、挿入の有無に応じてフラグがＲＡＭ５２に記憶される。
【００６０】
待機状態において、ＦＡＸ通信部３０による呼出信号の受信、又は、画像形成の実行命令等がなく、所定時間経過すると、オフモード状態（第１省電力モードの一例）、又は、スリープ状態（第２省電力モードの一例）のいずれかに移行する。オフモード状態は、ＦＡＸ通信部３０、ＬＡＮインターフェイス部３２、ＵＳＢインターフェイス部３３、画像形成部５３、画像読取部５４への電源部３４からの電力供給をオフさせ、ＡＳＩＣ４１が操作部５５のキー操作を検出できる程度に省電力となっている状態である。また、スリープ状態は、ＦＡＸ通信部３０、ＬＡＮインターフェイス部３２、ＵＳＢインターフェイス部３３への電源部３４からの電力供給をオンさせた状態で、画像形成部５３、画像読取部５４への電源部３４からの電力供給をオフさせた状態である。
【００６１】
これらの各状態は、ＡＳＩＣ４１からの電源部３４への指示によって各状態から各状態へ移行可能となっている。
【００６２】
図８は、待機状態において、ＦＡＸ通信部３０の呼出信号の受信、又は、画像形成の実行命令等がなく、所定時間経過時に、ＡＳＩＣ４１が有するＣＰＵ４０によって実行される移行判断処理である。
【００６３】
ＣＰＵ４０は、ＲＡＭ５２にＵＳＢインターフェイス使用フラグがオフとして記憶されているかどうかを判別する（Ｓ２１）。ＵＳＢインターフェイス使用フラグがオンであれば（Ｓ２１：ＮＯ）、Ｓ２７に進み、ＣＰＵ４０は、電源部３４にスリープ状態に移行するように指示する（Ｓ２７）。
【００６４】
ＵＳＢインターフェイス使用フラグがオフであれば（Ｓ２１：ＹＥＳ）、次に、ＣＰＵ４０は、ＲＡＭ５２に有線ＬＡＮフラグがオフとして記憶されているかどうかを判別する（Ｓ２２）。なお、有線ＬＡＮフラグは、ＬＡＮインターフェイス部３２にＬＡＮケーブルが挿入されていればオンとなる。有線ＬＡＮフラグがオンであれば（Ｓ２２：ＮＯ）、Ｓ２７に進む。
【００６５】
有線ＬＡＮフラグがオフであれば（Ｓ２２：ＹＥＳ）、次に、ＣＰＵ４０は、ＲＡＭ５２に回線接続フラグがオフとして記憶されているかどうかを判別する（Ｓ２３）。回線接続フラグがオンであれば（Ｓ２３：ＮＯ）、ＣＰＵ４０は、電源部３４にスリープ状態に移行するように指示する（Ｓ２７）。回線接続フラグがオフであれば（Ｓ２３：ＹＥＳ）、ＣＰＵ４０は、電源部３４にオフモード状態に移行するように指示する（Ｓ２５）。なお、Ｓ２７及びＳ２５の処理が、電力供給指示処理、モード設定処理の一例である。
【００６６】
スリープ状態は、ＦＡＸ通信部３０、ＬＡＮインターフェイス部３２、ＵＳＢインターフェイス部３３への電源部３４からの電力供給をオンさせた状態で、画像形成部５３、画像読取部５４への電源部３４からの電力供給をオフさせた状態であるため、
待機状態よりも消費電力が低い。スリープ状態において、ＦＡＸ通信部３０の呼出信号の受信、画像形成若しくは画像読取の実行命令又は画像形成に係るデータの受信があると、電力消費状態がスリープ状態から待機状態に戻り、画像形成部５３及び画像読取部５４への電源部３４からの電力供給がオンされる。そして、待機状態から画像形成又は画像読取の実行状態に移行する。
【００６７】
オフモード状態は、ＦＡＸ通信部３０、ＬＡＮインターフェイス部３２、ＵＳＢインターフェイス部３３、画像形成部５３、画像読取部５４への電源部３４からの電力供給をオフさせ、ＡＳＩＣ４１が操作部５５のキー操作を検出できる程度に省電力となっている状態であるため、スリープ状態よりも消費電力が更に低く、消費電力が最も低い状態である。
【００６８】
オフモード状態において、電源キーが押操作（オン）されることをＡＳＩＣ４１が検出すると、電力消費状態がオフモード状態から待機状態に移行するようにＡＳＩＣ４１が電源部３４に指示する。
【００６９】
＜４．回線接続判別処理〜第１実施例＞
次に、ＣＰＵ４０が実行する回線接続判別処理について、第１実施例として図９、図１０を用いて説明する。
【００７０】
まず、ＣＰＵ４０は回線イベントが入力されているか否かを判断する（Ｓ１）。回線イベントとは、ＣＩ検出回路２２に呼出信号が受信された場合、ＤＰ送出回路２１の駆動時、ＣＭＬリレー１３が閉結している状態で相手先のファクシミリ装置と信号のやり取りを行っている場合である。
【００７１】
回線接続判別処理は、待機状態中の所定のタイミングで実行されるが、回線イベントが実行されている間（Ｓ１：ＹＥＳ）は、回線イベントが終了するまで待機する。
【００７２】
回線イベントが実行されていなければ（Ｓ１：ＮＯ）、ＣＰＵ４０は、ＡＳＩＣ４１のＣＩ検出設定を、通常ＣＩ検出設定用の設定から回線接続判別用の設定に変更する（Ｓ３）。ＡＳＩＣ４１は、ＣＩ検出設定として、回線接続判別用の設定がなされており、ＡＳＩＣ４１は、周期の周期Ｔ２（第２周期の一例）を検出可能となっている。
【００７３】
次に、オンの長さとオフの長さはそれぞれ１対１の関係の元で、周期Ｔ２（例えば、２０ｍｓ（５０Ｈｚ））で、所定時間（例えば、２００ｍｓ）の間、ＣＭＬリレー１３の閉結と開放とを繰り返すように、ＣＰＵ４０は、ＡＳＩＣ４１からＣＭＬリレー１３に指示する（Ｓ５：第１擬似開閉処理の一例）。
【００７４】
図１０（Ａ）は、上述したＳ５におけるＡＳＩＣ４１によるＣＭＬリレー１３に閉結と開放によって回線接続端子１１の各端子間に印加される電圧値の変動を示している。
【００７５】
ＣＭＬリレー１３の閉結と開放とを合わせた間隔である周期Ｔ２は、呼出信号の周期
Ｔ１（５０ｍｓ）及びダイヤルパルスによる周期Ｔｄ（１００ｍｓ）より短周期となっている。ＣＭＬリレー１３の閉結と開放は、少なくとも２回以上行うように、ＡＳＩＣ４１はＣＭＬリレー１３に指示する。
【００７６】
図１０（Ｂ）は、ＣＩ検出回路２２がＡＳＩＣ４１へ出力する、図１０（Ａ）の回線接続端子１１の各端子間の電圧変動を示す信号Ｓｉｇ２を示している。ＡＳＩＣ４１は、図１０（Ａ）のような回線接続端子１１の各端子間に印加される電圧値の変動を受けて、ＡＳＩＣ４１へ図１０（Ｂ）に示された信号Ｓｉｇ２を出力する。
【００７７】
すると、ＣＰＵ４０は端子ＩＮＰＵＴに入力された信号Ｓｉｇ２の周期が周期Ｔ２であるか否かを判別する（Ｓ７）。そして、ＣＰＵ４０は信号Ｓｉｇ２の周期が周期Ｔ２であれば、ＲＡＭ５２に回線接続フラグをオンとして記憶させる（Ｓ９）。なお、信号Ｓｉｇ２の周期が周期Ｔ２というのを２回以上検出した際に、ＣＰＵ４０は信号Ｓｉｇ２の周期が周期Ｔ２であるものとする。ＣＰＵ４０は信号Ｓｉｇ２の周期が周期Ｔ２でなければ、ＲＡＭ５２に回線接続フラグをオフとして記憶させる（Ｓ１１）。なお、Ｓ７、Ｓ９、Ｓ１１の各処理が第１電話回線接続検出記憶処理の一例である。
【００７８】
回線接続端子１１に電話回線６０が接続されていれば、交換機５９から回線接続端子１１の各端子間に回線電圧Ｖ１が印加されるので、ＣＭＬリレー１３に閉結と開放とを繰り返すことによって、回線接続端子１１の各端子間に印加される電圧値が電圧Ｖ２から回線電圧Ｖ１、回線電圧Ｖ１から電圧Ｖ２へと変動する。その周期をＡＳＩＣ４１が検出することによって、ＣＰＵ４０は、回線接続端子１１に電話回線６０が接続されていると判別することができる。
【００７９】
他方、回線接続端子１１に電話回線６０が接続されていなければ、交換機５９から回線接続端子１１の各端子間に回線電圧Ｖ１が印加されない。故に、ＣＭＬリレー１３に閉結と開放とを繰り返したとしても、回線接続端子１１の各端子間に印加される電圧値の変動による周期を、ＡＳＩＣ４１が検出することができない。故に、ＣＰＵ４０は、回線接続端子１１に電話回線６０が接続されていないと判別することができる。
【００８０】
そして、ＣＰＵ４０は、ＡＳＩＣ４１のＣＩ検出設定を、回線接続判別用の設定から通常ＣＩ検出設定用の設定に変更する（Ｓ１３）。そして、回線接続判別処理が終了する。
【００８１】
＜５．第１実施形態特有の効果＞
（１）ＭＦＰ１は、回線接続端子１１とＣＭＬリレー１３と信号送受信部３１とＣＩ検出回路２２とを有している。一方、ＣＭＬリレー１３が開放時に、回線接続端子１１に電話回線６０が接続されていると、回線接続端子１１の各端子間には、回線電圧Ｖ１が印加される。
【００８２】
交換機５９は、回線電圧Ｖ１に変動成分を重畳して呼出信号を送出する。ＣＭＬリレー１３が開放された状態で、ＣＩ検出回路２２は、呼出信号を検出し、検出した呼出信号をＨｉｇｈ信号とＬｏｗ信号に２値化し、ＡＳＩＣ４１の端子ＩＮＰＵＴに信号Ｓｉｇ２を出力する。ＡＳＩＣ４１は、入力された信号Ｓｉｇ２が周期Ｔ１であれば、交換機５９からの呼出信号の入力があったとして、ＣＭＬリレー１３を閉結させる。すると、信号送受信部３１は、交換機５９と電話回線６０を介して信号のやり取りを行う。
【００８３】
他方、ＣＭＬリレー１３が閉結時に、回線接続端子１１に電話回線６０が接続されていると、交換機５９と信号送受信部３１との間に閉回路が構成され、回線接続端子１１の各端子間には、回線電圧Ｖ１から閉回路によって一定の電圧降下した値である電圧Ｖ２が印加される。
【００８４】
故に、回線接続端子１１に電話回線６０が接続されている場合は、ＣＭＬリレー１３の閉結と開放とを繰り返すと、回線接続端子１１の各端子間には、電圧降下した電圧Ｖ２と回線電圧Ｖ１とが交互に生じる。
【００８５】
ＣＩ検出回路２２は、交互に生じた電圧変動を２値化し、ＡＳＩＣ４１に、ＣＭＬリレー１３の閉結と開放の周期Ｔ２に応じた２値化された信号を送出する。回線接続端子１１に電話回線６０が接続されていない場合は、ＣＭＬリレー１３の閉結と開放とを繰り返しても、ＡＳＩＣ４１には、２値化された信号（Ｈｉｇｈ信号、Ｌｏｗ信号）が入力されない。
【００８６】
故に、ＣＭＬリレー１３の閉結と開放とを周期Ｔ２で繰り返したときに、ＣＭＬリレー１３の閉結と開放のタイミングと同じ周期Ｔ２の信号がＡＳＩＣ４１に入力されない場合は、ＡＳＩＣ４１（ＣＰＵ４０）は、回線接続端子１１に電話回線６０が接続されていないとすることができる。又、ＣＭＬリレー１３の閉結と開放とを周期Ｔ２で繰り返したときに、ＣＭＬリレー１３の閉結と開放のタイミングと同じ周期Ｔ２の信号がＡＳＩＣ４１に入力される場合は、ＡＳＩＣ４１（ＣＰＵ４０）は、回線接続端子１１に電話回線６０が接続されているとすることができる。
【００８７】
予め定められている呼出信号の周期Ｔ１と回線接続判別処理の周期Ｔ２（図９：Ｓ５参照）とが同じであると、仮に、回線接続判別処理中に、呼出信号が交換機５９から送出されたときにＡＳＩＣ４１は、呼出信号なのか電話回線６０の接続なのか見分けがつかない。
【００８８】
また、周期Ｔ２が周期Ｔ１よりも長いと、回線接続端子に電話回線６０が接続されているのか否かの見極めるのに時間がかかる。故に、予め定められている呼出信号の周期Ｔ１と回線接続判別処理の周期Ｔ２とは、それぞれ異なり、周期Ｔ２は周期Ｔ１より短周期に設定されていることで、ＡＳＩＣ４１（ＣＰＵ４０）は、回線接続端子１１に電話回線６０が接続されているか否かをすばやく検出することが可能となる。
【００８９】
（２）ＭＦＰ１は、更に、信号送受信部３１に電力を供給する電源部３４を備える。ＡＳＩＣ４１は、にＲＡＭ５２に、回線接続フラグ、有線ＬＡＮフラグ、ＵＳＢインターフェイス使用フラグが全てオフと記憶されている場合に、電源部３４に対して信号送受信部への電力供給を停止する指示を行う。回線接続フラグ、有線ＬＡＮフラグ、ＵＳＢインターフェイス使用フラグのいずれかがオンであれば、電源部３４に対して
信号送受信部３１への電力供給を維持させている。
【００９０】
第１実施形態では、回線接続フラグ、有線ＬＡＮフラグ、ＵＳＢインターフェイス使用フラグが全てオフと記憶されている場合に、電源部３４に対して信号送受信部３１への電力供給を停止する指示を行うものであるが、少なくとも回線接続フラグがオフとＲＡＭ５２に記憶されているのであれば、電源部３４に対して信号送受信部３１への電力供給を停止させてもよい。
【００９１】
回線接続フラグがオフとしてＲＡＭ５２に記憶されている、すなわち、回線接続端子１１に電話回線６０が接続されていないため、電源部３４による信号送受信部３１への電力の供給不要である。故に、ＡＳＩＣ４１が電源部３４に対して信号送受信部３１への電力供給を停止する指示を行うことで、省電力を図ることができる。
【００９２】
（３）ＭＦＰ１は、更に、信号送受信部３１が送受信する画像データである信号に基づいてシートに画像形成するする画像形成部５３、原稿の画像を読み取る画像読取部５４を備え、電源部３４は、画像形成部５３、画像読取部５４にそれぞれ電力を供給可能である。電源部３４に対して信号送受信部３１及び画像形成部５３、画像読取部５４に電力を供給するように指示する待機状態がある。電源部３４に対して信号送受信部３１及び画像形成部５３、画像読取部５４に電力の供給を停止するように指示するオフモード状態がある。電源部３４に対して信号送受信部３１への電力の供給を指示し画像形成部５３、画像読取部５４への電力の供給を停止するように指示するスリープモードと、がある。そして、ＡＳＩＣ４１は、各モードを選択的に設定することができる。
【００９３】
（４）また、図９に示す回線接続判別処理とは、待機状態の所定のタイミングで実行する構成であって、いつＣＩ検出回路２２が呼出信号を受信するかもしれない。故に、回線接続判別処理はできるだけ短く済ませる必要がある。そこで、周期Ｔ２は周期Ｔ１より短周期に設定されていることで、ＡＳＩＣ４１（ＣＰＵ４０）は、回線接続端子１１に電話回線６０が接続されているか否かをすばやく検出することが可能となる。
【００９４】
（５）図１０に示すように、ＣＭＬリレー１３の閉結と開放は、少なくとも２回以上行うように、ＡＳＩＣ４１はＣＭＬリレー１３に指示している。１回だけでは、電圧変動のチャタリングによって偶発的に周期Ｔ２を検出した場合が考えられる。そこで、ＣＭＬリレー１３の閉結と開放は、少なくとも２回以上行い、ＡＳＩＣ４１（ＣＰＵ４０）は、周期Ｔ２を２回以上検出した際に、回線接続端子１１に電話回線６０が接続されていると判別することで精度良く、回線接続端子１１に電話回線６０が接続されているか否かを判別することができる。ＣＭＬリレー１３の閉結と開放を少なくとも２回以上行う際に要する時間は、ＭＦＰ１が回線接続端子１１に電話回線６０が接続されているのか否かを判別する際に交換機５９からの発信音を受信する時間より、短いため、回線接続端子１１に電話回線６０が接続されているかをすばやく検出することができる。
【００９５】
＜５．回線接続判別処理〜第２実施例＞
次に、ＣＰＵ４０が実行する回線接続判別処理について、第２実施例として図１１を用いて説明する。第１実施例においては、ＣＭＬリレー１３の閉結と開放によって、回線接続端子１１に電話回線６０が接続されているか否かを判別する構成を説明した。第２実施例においては、ＤＰ送出回路２１の閉結と開放によって、回線接続端子１１に電話回線６０が接続されているか否かを判別する構成である。
【００９６】
なお、図９と図１１において、重複部分については、説明を省略する。ＣＰＵ４０は、図１１のＳ３５（第２擬似開閉処理の一例）において、ＣＭＬリレー１３を開放させた状態で、Ｓｉｇ１に対して、所定時間（２００ｍｓ）に周期Ｔ３（第３周期の一例）の開放と閉結を指示する。すると、ＤＰ送出回路２１が周期Ｔ３の開放と閉結に基づいて開放と閉結を行う。なお、周期Ｔ３は、一例として周期Ｔ２と同じ２０ｍｓでも、異なっていてもよい。
【００９７】
すると、ＣＰＵ４０は端子ＩＮＰＵＴに入力された信号Ｓｉｇ２の周期が周期Ｔ３であるか否かを判別する（Ｓ３７）。そして、ＣＰＵ４０は信号Ｓｉｇ２の周期が周期Ｔ３であれば、ＲＡＭ５２に回線接続フラグをオンとして記憶させる（Ｓ９）。なお、信号Ｓｉｇ２の周期が周期Ｔ３というのを３回以上検出した際に、ＣＰＵ４０は信号Ｓｉｇ２の周期が周期Ｔ３であるものとする。ＣＰＵ４０は信号Ｓｉｇ２の周期が周期Ｔ３でなければ、ＲＡＭ５２に回線接続フラグをオフとして記憶させる（Ｓ１１）。なお、図１１のＳ３７、Ｓ９、Ｓ１１の各処理が第２電話回線接続検出記憶処理の一例である。
【００９８】
＜６．他の実施形態＞
第１実施例のＣＭＬリレー１３の閉結と開放の替わりにＤＰ送出回路２１を用いて、ＣＭＬリレー１３を開放した状態で、ＤＰ送出回路２１を閉結、又は、開放することで、図９の回線接続判別処理の替わりに、図１１の回線接続判別処理を用いても同様な効果を得ることができる。
【００９９】
周期Ｔ３は、通信規格として定められているダイヤルパルスの閉結と開放の周期Ｔｄより短周期である。故に、交換機５９がＭＦＰ１からダイヤルパルスが送信されたと誤認識しない。そして、ＡＳＩＣ４１は、図１１の回線接続判別処理によって回線接続端子１１に電話回線６０が接続されているか否かをすばやく検出することが可能となる。
【０１００】
尚、本発明は前記実施形態に限定されるものではなく、本発明の趣旨を逸脱しない範囲内での種々の改良、変更が可能であることは言うまでもない。
【０１０１】
信号送受信部３１は、モデム２３を有するファクシミリ送受信を行うものであるが、電話による音声信号を送受信するものであってもよい。信号送受信部３１は、モデム２３とトランス１４とからなる構成にて説明したが、モデム２３とトランス１４との間に２線―４線変換回路といった各種部品があってもよい。
【０１０２】
実施形態では、ＣＰＵ４０を備える場合を例に説明したが、これに限定されるものではない。複数のＣＰＵを備えてもよい。
【符号の説明】
【０１０３】
１    ＭＦＰ１
１１  回線接続端子
１４  トランス
２１    ＤＰ送出回路
２２    ＣＩ検出回路
２３    モデム
４０    ＣＰＵ
４１    ＡＳＩＣ
６０    電話回線
【図１】
0006604128.tif 000002
【図２】
0006604128.tif 000003
【図３】
0006604128.tif 000004
【図４】
0006604128.tif 000005
【図５】
0006604128.tif 000006
【図６】
0006604128.tif 000007
【図７】
0006604128.tif 000008
【図８】
0006604128.tif 000009
【図９】
0006604128.tif 000010
【図１０】
0006604128.tif 000011
【図１１】
0006604128.tif 000012